(57)【要約】【課題】寝床に敷設されるベースシートに対して吸収性シートを簡単に交換できるようにし、また表面に局部的な凸部が形成されず、身体に異物感を与えないようにする。【解決手段】吸収マット１は、ベースシート２とこれに設置される吸収性シート１０を有している。ベースシート２の表面２１の左右両側には保持シート３，３が設置され、ベースシート２と保持シート３，３との間に保持空間５，５が形成されている。吸収性シート１０の両側部を前記保持空間５，５に挟み込むことにより、ベースシート２上で吸収性シート１０を動くことなく設置することができる。【選択図】    図１
2004344400.tif 000002
【特許請求の範囲】
【請求項１】
表面および裏面を有するベースシートと、前記ベースシートの表面に着脱自在に取付けられる吸収性シートとを有する吸収マットにおいて、前記ベースシートの表面には、横方向に間隔を空けて保持シートが固定されて、前記ベースシートの表面とそれぞれの前記保持シートとの間に、その開口部が縦方向中心線に向く保持空間が形成されており、
液体を吸収保持できる前記吸収性シートの両側部が、前記保持空間内に保持可能とされていることを特徴とする吸収マット。
【請求項２】
前記保持シートは、一方の縁部が縦方向中心線と平行となるようにベースシートの表面に設置され、前記ベースシートと前記保持シートは、前記縁部から横方向へ間隔を開けた位置および縦方向に間隔を開けた位置でそれぞれ固定されている請求項１記載の吸収マット。
【請求項３】
前記ベースシートは、その縦方向縁部と前記保持空間との間に、横方向の寸法が２０ｍｍ以上の延出部を有している請求項１または２記載の吸収マット。
【請求項４】
前記ベースシートの表面には、少なくとも前記吸収性シートが重ねられる領域に、吸収層が設けられている請求項１ないし３のいずれかに記載の吸収マット。
【請求項５】
前記ベースシートの裏面には、低密度ポリエチレンまたはゴム系樹脂材料で形成されたずれ止め層が現れている請求項１ないし４のいずれかに記載の吸収マット。
【発明の詳細な説明】
【０００１】
【発明の属する技術分野】
本発明は、失禁患者や幼児などが就寝するときに、寝床の表面に敷設される吸収マットに関する。
【０００２】
【従来の技術】
老人や病人などの失禁患者や、夜尿症の幼児などが就寝する際に、寝床の表面に、液遮断性のシートや、尿を吸収する機能を有する吸収マットが敷設される。
【０００３】
以下の特許文献１には液体の吸収機能と消臭機能を有する介護用消臭敷物が開示されている。この介護用消臭敷物は、ベースシートの両側部に延びる翼部を寝床の側縁部に巻きつけて敷設されるものである。
【０００４】
前記介護用消臭敷物は、撥水加工が施されたベースシートにカバーシートが一部を剥離できるように重ねられて、ベースシートとカバーシートとの間に消臭シートを介装できるようになっている。前記カバーシートの上に吸水・保水シートが設置されるが、ベースカバーと前記吸水・保水シートの周辺部のそれぞれに平面ファスナー片が取付けられており、前記平面ファスナー片どうしを接合することによって、前記吸水・保水シートをベースシートに固定できるようになっている。
【０００５】
【特許文献１】
特開２００２−９５６９０号公報
【０００６】
【発明が解決しようとする課題】
前記介護用消臭敷物は、複数個の平面ファスナー片を用いてベースシートと吸水・保水シートとを固定しているため、吸水・保水シートが位置ずれして取付けられた場合には、個々の平面ファスナー片の接合を解除して再度取付け直すことが必要であり、取付け操作が面倒である。また、吸水・保水シートが撓んだり皺が寄った状態で個々の平面ファスナー片が接合されることがあり、この場合に、吸水・保水シートの撓みや皺を直すのも困難である。
【０００７】
さらに、平面ファスナー片どうしが接合されている箇所が表面側に盛り上がり、就寝している老人や患者に対して前記平面ファスナー片が異物感を与えやすい。さらには、平面ファスナー片の盛り上がり部分が身体に局部的な圧力を与え、皮膚組織や血管を圧迫して、血流障害などを引き起こすおそれもある。
【０００８】
本発明は上記従来の課題を解決するものであり、ベースシートに対して吸収性シートを位置決めして取付けやすく、また着脱も容易であり、さらに平面ファスナー片などの盛り上がりが生じない吸収マットを提供することを目的としている。
【０００９】
【課題を解決するための手段】
本発明は、表面および裏面を有するベースシートと、前記ベースシートの表面に着脱自在に取付けられる吸収性シートとを有する吸収マットにおいて、
前記ベースシートの表面には、横方向に間隔を空けて保持シートが固定されて、前記ベースシートの表面とそれぞれの前記保持シートとの間に、その開口部が縦方向中心線に向く保持空間が形成されており、
液体を吸収保持できる前記吸収性シートの両側部が、前記保持空間内に保持可能とされていることを特徴とするものである。
【００１０】
前記吸収マットは、吸収性シートの両側部を、ベースシートと保持シートとの間の保持空間に挿入するだけで、前記吸収性シートを容易に動くことなく設置でき、このときに吸収性シートが撓んだり皺が寄ってもそれを修正しやすい。またベースシートに対する吸収性シートの着脱が容易である。さらに、平面ファスナー片などを用いていないため、表面が平坦であり老人や病人あるいは幼児に異物感を与えることも少ない。
【００１１】
また本発明では、前記保持シートは、一方の縁部が縦方向中心線と平行となるようにベースシートの表面に設置され、前記ベースシートと前記保持シートは、前記縁部から横方向へ間隔を開けた位置および縦方向に間隔を開けた位置でそれぞれ固定されているものである。
【００１２】
前記構成では、保持空間は、縦方向中心線に対向する部分のみが開放され、それ以外の部分が閉鎖されて袋状となるため、この保持空間に挿入された吸収性シートが横方向と縦方向の双方に動きにくくなる。
【００１３】
また、本発明では、前記ベースシートは、その縦方向縁部と前記保持空間との間に、横方向の寸法が２０ｍｍ以上の延出部を有している。
【００１４】
前記寸法の延出部を寝床の縁部に巻き付けることにより、ベースシートを寝床に動かないように取付けることが可能になる。
【００１５】
また、本発明は、前記ベースシートの表面には、少なくとも前記吸収性シートが重ねられる領域に、吸収層が設けられているものとして構成できる。
【００１６】
この吸収マットでは、吸収性シートで吸収しきれなかった尿などを前記吸収層で保持でき、ベースシートから寝床への尿の洩れが生じるのを防止しやすい。
【００１７】
また本発明は、前記ベースシートの裏面には、低密度ポリエチレンまたはゴム系樹脂材料で形成されたずれ止め層が現れている。
【００１８】
前記ずれ止め層を設けることにより、ベースシートが寝床の表面でずれたり皺が寄るのを防止しやすい。また樹脂層でずれ止めを行っているため、ずれ止め手段を設けることによる凸部が形成されなくなり、身体に違和感を与えたり局部的に圧迫することもない。
【００１９】
【発明の実施の形態】
図１は本発明の第１の実施の形態の吸収マットを示す斜視図、図２（Ａ）は図１に示す吸収性シートのＡ−Ａ矢視の断面図、図２（Ｂ）は図１に示すベースシートのＢ−Ｂ矢視の断面図、図３はベースシートに吸収性シートが取付けられた状態を示す部分断面図である。
【００２０】
図１に示す吸収マット１は、ベースシート２と、このベースシート２に着脱自在に取付けられる吸収性シート１０とを有している。
【００２１】
前記ベースシート２は、縦方向中心線Ｏ−Ｏと平行な縦方向縁部２ａ，２ａと、前記縦方向中心線Ｏ−Ｏと直交する横方向縁部２ｂ，２ｂを有する四辺形である。図１に示すベースシート２は、横方向縁部２ｂ，２ｂが縦方向縁部２ａ，２ａよりも長い長方形である。ただし、ベースシート２は正方形であってもよいし、縦方向縁部２ａ，２ａが横方向縁部２ｂ，２ｂよりも長い長方形であってもよい。
【００２２】
このベースシート２は、寝床の表面、すなわちベッドマットの表面や敷布団の表面に設置される。このとき縦方向中心線Ｏ−Ｏが寝床の縦方向中心線に沿うように設置される。ベースシート２は、縦方向側縁２ａ，２ａがベッドマットや敷布団の裏側へ巻き込まれるようにされて敷設されるものである。よって、ベースシート２の横方向の幅寸法Ｗ１は、１００ｃｍから２５０ｃｍ程度であり、このベースシート２が敷設される寝床の幅寸法に応じて決められる。
【００２３】
ベースシート２は、老人や病人あるいは幼児の腰の下に敷設されるものであるため、その縦方向の長さ寸法Ｌ１は、例えば４０ｃｍ以上である。
【００２４】
図１および図２（Ｂ）に示すように、前記ベースシート２は身体に向けられる側が表面２１であり、寝床の表面に対面する側が裏面２２である。ベースシート２の表面２１では、横方向に間隔を空けて保持シート３，３が設けられている。保持シート３，３の外側縁部３ａ，３ａは、ベースシート２の縦方向縁部２ａとほぼ一致し、保持シート３，３の横方向縁部３ｂ，３ｂは、ベースシート２の横方向縁部２ｂ，２ｂにほぼ一致している。そして保持シート３，３の内側縁部３ｃ，３ｃは、縦方向中心線Ｏ−Ｏと平行で、且つ縦方向中心線Ｏ−Ｏから左右に等距離離れた位置にある。
【００２５】
図１および図２（Ｂ）に示すように、前記ベースシート２の表面２１と保持シート３，３との間にそれぞれ保持空間５，５が形成されている。この保持空間５，５は、保持シート３，３の前記内側縁部３ｃ，３ｃとベースシート２の表面２１とが対向する部分が開口部５ａ，５ａである。また、前記内側縁部３ｃ，３ｃから外側縁部３ａ，３ａに向けて幅寸法Ｗａだけ入り込んだ位置に保持空間５，５の奥行き終縁５ｂ，５ｂが位置している。この奥行き終縁５ｂ，５ｂは前記内側縁部３ｃ，３ｃと平行に延びており、この奥行き終縁５ｂ，５ｂでは、ベースシート２の表面２１と保持シート３，３とが接合されている。
【００２６】
前記保持空間５，５は、縦方向に長さ寸法Ｌａの広がりを有しており、保持空間５，５の縦方向の終端５ｃ，５ｃにおいて、ベースシート２の表面２１と保持シート３，３とが接合されている。この実施の形態では、前記奥行き終縁５ｂ，５ｂと外側縁部３ａ，３ａとの間で、ベースシート２と保持シート３とが全面的にあるいは間欠的に接合され、終端５ｃ，５ｃと横方向縁部３ｂ，３ｂとの間でもベースシート２と保持シート３とが全面的にあるいは間欠的に接合されている。
【００２７】
その結果、保持空間５，５は、縦方向中心線Ｏ−Ｏに開口部５ａ，５ａが向けられ、この開口部５ａ，５ａ以外は閉じられた袋形状となっている。
【００２８】
前記保持空間５，５の幅寸法Ｗａすなわち奥行き寸法は、１〜１０ｃｍであり、好ましくは３〜５ｃｍである。前記範囲内であると、保持空間５，５によって吸収性シート１０を確実に保持でき、また保持空間５，５の奥行き寸法が大きすぎずに、保持シート３，３で液吸収性シート１０の受液側表面の面積を狭めることがない。
【００２９】
図１ないし図３に示す実施の形態では、ベースシート２の表面２１に薄い吸収層７が重ねられている。この吸収層７は、保持空間５，５の奥行き終縁５ｂと奥行き終縁５ｂとの間に配置され、ベースシート２の表面２１と吸収層７とはホットメルト型の接着剤などで接着されている。
【００３０】
前記ベースシート２は、保持空間５，５の奥行き終縁５ｂ，５ｂと縦方向縁部２ａ，２ａとの間が延出部８，８となっている。この延出部８，８の横方向の幅寸法Ｗ２は、２０ｃｍ以上であり、好ましくは３０ｃｍである。前記の幅寸法Ｗ２を有していると、この延出部８，８をベッドマットや敷布団の縁部から裏面にかけて巻き付けることが可能になる。
【００３１】
図１に示すように前記吸収性シート１０は、互いに平行な縦方向縁部１０ａ，１０ａと、前記縦方向縁部１０ａ，１０ａに直交する横方向縁部１０ｂ，１０ｂを有している。吸収性シート１０の横方向の幅寸法Ｗｃは、前記保持空間５，５の奥行き終縁５ｂと奥行き終縁５ｂとの間隔寸法Ｗｂと同じか、またはそれよりもわずかに短い。吸収性シート１０の縦方向の長さ寸法Ｌｂは、保持空間５，５の長さ寸法Ｌａと同じか、またはそれよりもわずかに短い。
【００３２】
吸収性シート１０は、縦方向縁部１０ａと横方向縁部１０ｂの長さが相違する長方形であってもよいが、ベースシート２の前記各寸法ＬａとＷｂがほぼ等しく、吸収性シート１０が正方形であると、吸収性シート１０の向きを気にすることなく、前記保持空間５，５に保持させることができる。
【００３３】
図２（Ａ）に示すように、前記吸収性シート１０は、液透過性の表面シート１１と液不透過性の裏面シート１３と、前記表面シート１１と裏面シート１３との間に挟まれた吸収コア１２とを有している。吸収性シート１０では、吸収コア１２から外れる外周部分で、表面シート１１と裏面シート１３とがホットメルト型接着剤などで接着固定されている。
【００３４】
前記構成の吸収マット１を使用するときには、ベースシート２を寝床の表面で、老人や病人または幼児の腰に当たる部分に敷設し、前記延出部８，８をベッドマットや敷布団の両側縁部から裏面にかけて巻き込んで固定する。そして、図３に示すように、吸収性シート１０の両側部を保持空間５，５の内部に挟んで、液吸収性シート１０を位置決め固定する。あるいは、先に吸収性シート１０の両側部を保持空間５，５の内部に挟み込んでから、前記延出部８，８をベッドマットや敷布団の裏面に巻き込むようにしてもよい。
【００３５】
吸収性シート１０は、保持空間５，５内に挟み込むだけで、ベースシート２上で動くことなく常に正確に位置決めされて設置される。また、吸収性シート１０に皺が生じてもその部分を延ばすだけで修正できる。保持シート３，３は薄いシート材料で形成されているため、保持シート３，３がベースシート２に重ねられていても、身体に違和感を与えにくく、あるいは身体に局部的に大きな圧迫力を与えることもない。
【００３６】
老人や病人または幼児が漏らした尿などは、吸収性シート１０の表面シート１１を透過して吸収コア１２に吸収される。また吸収コア１２に吸収された尿などは裏面シート１３で遮断されるため、尿などがベースシート２に向けて滲み出すのを抑制できる。また、吸収性シート１０で吸収できなかった尿などがベースシート２に向けて洩れたとしても、この尿などがその下の吸収層７で吸収され、ベッドマットや敷布団を直接に汚すのを防止できる。
【００３７】
また、吸収性シート１０を所定時間使用して、吸収性シート１０が尿を吸収した時点で、吸収性シート１０を交換するが、この交換作業は、吸収性シート１０を保持空間５，５から取り出し、新しい吸収性シート１０を保持空間５，５の内部に挟み込むだけで簡単に行うことができる。
【００３８】
図２（Ｂ）に示すように、ベースシート２は表面２１側に位置する基材層２３と裏面２２側に現れるずれ止め層２４との積層体である。例えば基材層２３はポリエチレン樹脂、ポリプロピレン樹脂などの樹脂フィルムであり、ずれ止め層２４は、低密度ポリエチレン（ＬＤＰＥ）やＳＩＳ、ＳＢＳなどのゴム系樹脂フィルムである。このベースシート２は、基材層２３を形成する樹脂材料とずれ止め層２４を形成する樹脂材料とを、それぞれ溶融して共押し出しラミネートすることにより形成できる。あるいは、前記基材層２３が、例えばポリエチレン、ポリプロピレン、ポリエステルなどの合成繊維で形成されたスパンボンド不織布、ポイントボンド不織布あるいは、スパンボンド不織布／メルトブローン不織布／スパンボンド不織布の順に積層されて接合された複合不織布であり、これら不織布の表面に低密度ポリエチレンや前記ゴム系樹脂を溶融押し出しして、ラミネートし、前記ずれ止め層２４を形成したものであってもよい。
【００３９】
前記構成のベースシート２は液不透過性であり、吸収層７に吸収された尿などが裏面２２に滲み出るのを防止できる。また低密度ポリエチレンやゴム系樹脂で形成されたずれ止め層２４は、その面がタック性を有するため、ベッドマットや敷布団の表面に対して大きな摩擦力を発揮でき、ベッドマットや敷布団の表面でベースシート２がずれるのを防止できる。よって老人や病人あるいは幼児が吸収マット１の上で寝返ったときなどに、吸収マット１が大きくずれたり皺が寄るのを防止できる。
【００４０】
また、前記ずれ止め層２４は平滑な樹脂フィルムであって突起を有する構造ではないため、ずれ止め層２４が盛り上がりを形成することがなく、身体に異物感を与えることもない。
【００４１】
前記保持空間５，５を形成するための保持シート３，３は、好ましくは液不透過性であり、例えばポリエチレン、ポリプロピレン、ポリエステルなどの合成繊維で形成されたスパンボンド不織布、ポイントボンド不織布あるいはエアースルー不織布である。またはスパンボンド不織布／メルトブローン不織布／スパンボンド不織布の順に積層されて接合された複合不織布であってもよい。また前記保持シート３，３は撥水処理された繊維で形成され、または不織布を形成した後に撥水処理されたものが好ましく使用される。
【００４２】
吸収層７は、親水性繊維または親水処理された合成繊維の少なくとも一方を含むものであり、エアレイド法で積層されてウエッブとされアクリル接着剤で繊維間が接合されたエアレイド不織布、または前記繊維で形成されたスパンレース不織布、またはパルプを抄紙した紙材や、パルプとレーヨンを抄紙した紙材などが使用される。目付けは例えば７５〜２００ｇ／ｍ２の範囲で選択可能であり、密度は、人体の下に敷設するため比較的クッション性を有するように、０．１〜１．０ｇ／ｍ３の範囲が好ましく、さらに好ましくは、０．１５〜０．７５ｇ／ｍ３である。
【００４３】
図２（Ａ）に示すように、吸収性シート１０を構成する裏面シート１３は、基材層１４とずれ止め層１５とが積層されたものであり、この裏面シート１３は前記ベースシート２と同じものを使用できる。裏面シート１３は液不透過性であり、またずれ止め層１５が吸収層７に対面するため、ベースシート２の表面２１において、吸収性シート１０が位置ずれしにくくなる。
【００４４】
吸収性シート１０の吸収コア１２は、前記吸収層７と同じものを使用可能であり、クッション性を有するように、吸収層７と同じ密度のものが好ましく使用される。また、吸収性シート１０の表面シート１１は、多数の液透過孔が開口された樹脂フィルム、液透過孔が形成されたスパンレース不織布やスパンボンド不織布、あるいは繊維間に液を透過する空隙が形成されたエアースルー不織布などである。
【００４５】
なお、本発明は上記第１の実施の形態に限定されるものではなく、種々の変更が可能である。
【００４６】
図４には本発明の第２の実施の形態の吸収マット１Ａを示す斜視図である。
この吸収マット１Ａのベースシート２Ａの表面２１には、左右両側に保持シート３，３が積層され、ベースシート２Ａの表面と保持シート３，３との間に保持空間５Ａ，５Ａが形成されている。この保持空間５Ａ，５Ａでは、保持シート３，３の内側縁部３ｃ，３ｃから外側縁部３ａ，３ａへ向けて所定幅Ｗａ離れた位置に奥行き終縁５ｂ，５ｂが形成されているが、前記内側縁部３ｃ，３ｃはいずれの部分もベースシート２Ａに接合されていない。よって、保持空間５Ａ，５Ａは、縦方向中心線Ｏ−Ｏに対向する開口部５ａ，５ａを有するとともに、縦方向の両端部も開放部５ｄ，５ｄとなっている。
【００４７】
吸収性シート１０の両側部を保持空間５Ａ，５Ａに挟み込んだときに、吸収性シート１０が横方向に拘束されるが、縦方向へ拘束されない。しかし、吸収性シート１０の両側部が保持空間５Ａ，５Ａに挟み込まれることで、吸収性シート１０をベースシート２Ａ上で位置決めでき、また吸収性シート１０の裏面にずれ止め層１５が現れているため、吸収性シート１０が縦方向へ動くのを防止できるようになっている。
【００４８】
図５は本発明の第２の実施の形態の吸収マット１Ｂを示す断面図である。
この吸収マット１Ｂでは、ベースシート２Ｂの表面に前記吸収層７が設けられて折らず、ベースシート２Ｂの表面２１に直接に吸収性シート１０が設置される構造である。
【００４９】
また、保持シート３の外側縁部３ｅは、ベースシート２Ｂの縦方向縁部２ａよりも縦方向中心線Ｏ−Ｏに寄った位置に設けられている。そして、外側縁部３ｅと縦方向縁部２ａとで挟まれた部分が、ベッドマットや敷布団の両側部に巻き込まれる延出部８となっている。
【００５０】
前記各実施の形態の吸収マットは、吸収性シート１０を使用後に使い捨てて、新しい吸収性シート１０を交換して使用可能である。またベースシートも樹脂フィルムや不織布などで形成されているため、一定期間使用した後に使い捨て可能である。
【００５１】
【発明の効果】
以上のように本発明の吸収マットは、ベースシートに設置される吸収性シートの取り付けと取り外しが容易であり、交換作業を簡単にできる。また表面の局部的な凹凸が少ないため、身体に異物感を与えたり、身体を局部的に強く圧迫することがない。
【図面の簡単な説明】
【図１】本発明の第１の実施の形態の吸収マットを示す斜視図、
【図２】（Ａ）は図１に示す吸収性シートのＡ−Ａ矢視断面図、（Ｂ）は図１に示すベースシートのＢ−Ｂ矢視断面図、
【図３】ベースシートに吸収性シートが設置された状態を示す部分断面図、
【図４】本発明の第２の実施の形態の吸収マットを示す斜視図、
【図５】本発明の第３の実施の形態の吸収マットを示す部分断面図、
【符号の説明】
１，１Ａ，１Ｂ  吸収マット
２，２Ａ，２Ｂ  ベースシート
３  保持シート
５，５Ａ  保持空間
５ａ  開口部
５ｂ  奥行き終縁
５ｃ  縦方向の終縁
７  吸収層
８  延出部
１０  吸収性シート
１１  表面シート
１２  吸収コア
１３  裏面シート
１５，２４  ずれ止め層
【図１】
2004344400.tif 000003
【図２】
2004344400.tif 000004
【図３】
2004344400.tif 000005
【図４】
2004344400.tif 000006
【図５】
2004344400.tif 000007